(57)【要約】【課題】ブラシ片の材質として、合成樹脂発泡体が使用されてある場合においても、回転軸の溝部にたいして、容易に挿入固定することができ、かつ、ブラシ片が、端部の近傍にて亀裂を発生することが無い、洗浄ブラシに使用するチャンネルブラシを提供する。【解決手段】被洗浄面に付着した塵埃を清掃する為の洗浄ブラシに使用するチャンネルブラシにおいて、前記チャンネルブラシは鋼板あるいはアルミ板よりなる帯状体及びブラシ片より構成されてあり、前記帯状体は断面が概コの字形状に形成されてあると共に、両端部が外側に屈曲して形成されてあるものである。【選択図】          図３
2004174191.tif 000002
【特許請求の範囲】
【請求項１】
被洗浄面に付着した塵埃を清掃する為の洗浄ブラシに使用するチャンネルブラシにおいて、前記チャンネルブラシは芯線、ブラシ片、及び鋼板あるいはアルミ板よりなる帯状体より構成されてあり、前記帯状体は断面が概コの字形状に形成されてあると共に、両端部が外側に屈曲して形成されてあることを特徴とする洗浄ブラシ用チャンネルブラシ。
【請求項２】
請求項１記載の構成よりなる洗浄ブラシ用チャンネルブラシにおいて、前記帯状体は断面が概コの字形状に形成されてあると共に、両端部が外側に屈曲して形成されてあり、前記両端部の下部に側部が形成されてあることを特徴とする洗浄ブラシ用チャンネルブラシ。
【発明の詳細な説明】
【０００１】
【発明の属する技術分野】
本発明は、洗浄ブラシに使用するチャンネルブラシに関するものである。
【０００２】
【従来の技術】
従来の洗浄ブラシに使用するチャンネルブラシに関しては、様々な改良がなされ、例えば、実用新案登録第３０９００８０号の如くの技術が開示されてある。以下、図１及び図２を用いて説明する。
【０００３】
図１及び図２において、１はチャンネルブラシ、２はブラシ片、３は帯状体、４は回転軸、５は溝部、６は根部、７はスリット、８は洗浄ブラシ、９は端部、１０は芯線である。この方式において、チャンネルブラシ１は、スリット７付きのブラシ片２を芯線１０及び帯状体３に挟みつけて形成されてある。また、回転軸４は、中空の円筒形状であり、外周部には、円周等分４箇所に、溝部５が形成されてある。洗浄ブラシ８は、チャンネルブラシ１を、回転軸４の溝部５に挿入固定することにより、製作される。
【０００４】
【発明が解決しようとする課題】
従来の洗浄ブラシに使用するチャンネルブラシ１は、ブラシ片２を芯線１０及び帯状体３に挟みつけて形成されてある。しかしながら、ブラシ片２の材質として、合成樹脂発泡体が使用されてある場合には、ブラシ片２の根部６が、端部９から外側に膨らんでしまい、チャンネルブラシ１を、回転軸４の溝部５にたいして挿入固定することが困難になっていた。また、根部６が、端部９に挟みつけられていることにより、ブラシ片２が、端部９の近傍にて亀裂を発生しやすい構造となっていた。その為、ブラシ片２の材質として、合成樹脂発泡体が使用されてある場合においても、回転軸４の溝部５にたいして、容易に挿入固定することができ、かつ、ブラシ片２が、端部９の近傍にて亀裂を発生することが無い、洗浄ブラシに使用するチャンネルブラシが求められていた。
【０００５】
【課題を解決するための手段】
本発明は、次のように構成したものである。
（１）被洗浄面に付着した塵埃を清掃する為の洗浄ブラシに使用するチャンネルブラシにおいて、前記チャンネルブラシは芯線、ブラシ片、及び鋼板あるいはアルミ板よりなる帯状体より構成されてあり、前記帯状体は断面が概コの字形状に形成されてあると共に、両端部が外側に屈曲して形成されてあるものである。
【０００６】
（２）上記（１）記載の構成よりなる洗浄ブラシ用チャンネルブラシにおいて、前記帯状体は断面が概コの字形状に形成されてあると共に、両端部が外側に屈曲して形成されてあり、前記両端部の下部に側部が形成されてあるものである。
【０００７】
【発明の実施の形態】
実施の形態１
図３に実施の形態１を示す。図３は本発明の実施の形態１の洗浄ブラシ用チャンネルブラシを前面側から見た斜視図である。図３において、１１はチャンネルブラシ、１２はブラシ片、１３は帯状体、１６は根部、１７はスリット、１９は端部、２０は芯線である。
【０００８】
本発明のチャンネルブラシ１１は、図３の如く、スリット１７付きのブラシ片１２を中央部から折り込んで、芯線２０及び帯状体１３にて、挟み付けるようにして形成されてあり、帯状体１３は、断面が概コの字形状に形成されてある。また、帯状体１３の両端部には、外側に屈曲するように、端部１９が形成されてある。ブラシ片１２の根部１６は、端部１９の上方にたいして覆い被さるようにして、外側に拡がって形成されてある。ところで、帯状体１３の材質には、鋼板あるいはアルミ板が使用されてある。また、ブラシ片１２の材質には、合成樹脂発泡体が使用されてある。
【０００９】
本発明の実施の形態１のチャンネルブラシ１１は、上記の如くの構成となっているので、外側に屈曲するように形成されてある端部１９が、ブラシ片１２の根部１６に食い込むことが無い。その為、ブラシ片１２が、端部１９の近傍で、亀裂を発生することを防止することができ、ブラシ片１２の耐久性を高めることができる。また、根部１６の下部を外側から挟み込む事により、ブラシ片１２に接触したり、傷つける事が無く、チャンネルブラシ１１を挿入固定することができる。
【００１０】
本発明の実施の形態１のチャンネルブラシ１１は、上記の如くの構成となっているが、端部の詳細形状等については、使用する目的に応じて、例えば、概Ｒ形状にて外側に屈曲するように形成する等、適時、設定しても何ら支障は無い。
【００１１】
実施の形態２
図４から図６に実施の形態２を示す。図４は本発明の実施の形態２の洗浄ブラシ用チャンネルブラシを前面側から見た斜視図である。図４において、２１はチャンネルブラシ、２２はブラシ片、２３は帯状体、２６は根部、２７はスリット、２９は端部、３０は芯線、５０は側部である。図５及び図６は本発明の実施の形態２の洗浄ブラシ用チャンネルブラシを使用した洗浄ブラシを前面側から見た斜視図である。図５において、１４は回転軸、１５は溝部、１８は洗浄ブラシ、５１は突起である。また、図６において、２４は回転軸、２８は洗浄ブラシ、５５は止め金具である。
【００１２】
本発明のチャンネルブラシ２１は、図４の如く、スリット２７付きのブラシ片２２を中央部から折り込んで、芯線３０及び帯状体２３にて、挟み付けるようにして形成されてあり、帯状体２３は、断面が概コの字形状に形成されてある。また、帯状体２３の両端部には、外側に屈曲するように、端部２９が形成されてあると共に、端部２９の下部には、側部５０が形成されてある。ブラシ片２２の根部２６は、端部２９の上方にたいして覆い被さるようにして、外側に拡がって形成されてある。ところで、帯状体２３の材質には、鋼板あるいはアルミ板が、使用されてある。また、ブラシ片２２の材質には、合成樹脂発泡体が使用されてある。
【００１３】
次に、チャンネルブラシ２１の使用方法を説明する。チャンネルブラシ２１は図５の如く、回転軸１４の外周に形成された円周等分４箇所の溝部１５にたいして、側部５０が突起５１にて挟み付けられるようにして、挿入固定されてある。また、チャンネルブラシ２１は図６の如く、回転軸２４の外周に、巻き付けるようにして形成された後、止め金具５５にて固定されてある。
【００１４】
本発明の実施の形態２のチャンネルブラシ２１は、上記の如くの構成となっているので、外側に屈曲するように形成されてある端部２９が、ブラシ片２２の根部２６に食い込むことが無く、かつ、端部２９の下部に形成されてある側部５０を、外側から突起５１にて挟み付けて、挿入固定することができる。その為、ブラシ片２２が、端部２９の近傍で、亀裂を発生することを防止することができ、ブラシ片２２の耐久性を高めることができると共に、回転軸１４の外周に形成された溝部１５にたいして、ずれることなく、挿入固定することができる。
【００１５】
本発明の実施の形態２のチャンネルブラシ２１は、上記の如くの構成となっているが、側部の形状等については、使用する目的に応じて、例えば、内側に向かって、概凹Ｖ字形状あるいは概凹半円形状に形成したり、外側に向かって、概凸Ｖ字形状あるいは概凸半円形状に形成する等、適時、設定しても、何ら支障は無い。また、溝部の形成状態についても、例えば、円周等分８箇所や１２箇所に形成したり、非円周等分に形成する等、使用する目的に応じて、適時、設定しても、何ら支障は無い。
【００１６】
【発明の効果】
本発明の実施の形態１のチャンネルブラシは、上記の如くの構成となっているので、外側に屈曲するように形成されてある端部が、ブラシ片の根部に食い込むことが無い。その為、ブラシ片が、端部の近傍で、亀裂を発生することを防止することができ、ブラシ片の耐久性を高めることができる。また、根部の下部を外側から挟み込む事により、ブラシ片に接触したり、傷つける事が無く、チャンネルブラシを挿入固定することができる。
【００１７】
また、本発明の実施の形態２のチャンネルブラシは、上記の如くの構成となっているので、外側に屈曲するように形成されてある端部が、ブラシ片の根部に食い込むことが無く、かつ、端部の下部に形成されてある側部を、外側から突起にて挟み付けて、挿入固定することができる。その為、ブラシ片が、端部の近傍で、亀裂を発生することを防止することができ、ブラシ片の耐久性を高めることができると共に、回転軸の外周に形成された溝部にたいして、ずれることなく、挿入固定することができる。
【図面の簡単な説明】
【図１】従来の洗浄ブラシに使用するチャンネルブラシを前面側から見た斜視図である。
【図２】図１のチャンネルブラシを使用した洗浄ブラシを前面側から見た斜視図である。
【図３】本発明の実施の形態１の洗浄ブラシ用チャンネルブラシを前面側から見た斜視図である。
【図４】本発明の実施の形態２の洗浄ブラシ用チャンネルブラシを前面側から見た斜視図である。
【図５】本発明の実施の形態２の洗浄ブラシ用チャンネルブラシを使用した洗浄ブラシを前面側から見た斜視図である。
【図６】本発明の実施の形態２の洗浄ブラシ用チャンネルブラシを使用した洗浄ブラシを前面側から見た斜視図である。
【符号の説明】
１、１１、２１  チャンネルブラシ  ２、１２、２２  ブラシ片
３、１３、２３  帯状体  ４、１４、２４  回転軸  ５、１５  溝部
６、１６、２６  根部  ７、１７、２７  スリット
８、１８、２８  洗浄ブラシ  ９、１９、２９  端部
１０、２０、３０  芯線  ５０  側部  ５１  突起  ５５  止め金具
【図１】
2004174191.tif 000003
【図２】
2004174191.tif 000004
【図３】
2004174191.tif 000005
【図４】
2004174191.tif 000006
【図５】
2004174191.tif 000007
【図６】
2004174191.tif 000008